(57)【要約】【課題】  様々な採光性と眺望性を得ることが可能な採光フィルムを提供する。【解決手段】  採光フィルム１は、表裏面を持つ基材２と、基材２の表面に形成されるプリズム３と、プリズム３の一面に形成される反射膜４と、を備え、プリズム３は、少なくとも、第１単位プリズム３１と、第２単位プリズム３２と、を有し、反射膜４は、少なくとも、第１単位プリズム３１に形成される第１反射膜４１と、第２単位プリズム３２に形成される第２反射膜４２と、を有し、少なくとも、第１単位プリズム３１の形状と第２単位プリズム３２の形状、及び、第１単位プリズム３１における第１反射膜３１ａの位置と第２単位プリズム３２における第２反射膜３２ａの位置のうちどちらか１つが異なることを特徴とする。【選択図】図１
2016071007.tif 000002
【特許請求の範囲】
【請求項１】
表裏面を持つ基材と、
前記基材の表面に形成されるプリズムと、
前記プリズムの一面に形成される反射膜と、
を備え、
前記プリズムは、少なくとも、第１単位プリズムと、第２単位プリズムと、を有し、
前記反射膜は、少なくとも、前記第１単位プリズムに形成される第１反射膜と、前記第２単位プリズムに形成される第２反射膜と、を有し、
少なくとも、
前記第１単位プリズムの形状と前記第２単位プリズムの形状、
及び、
前記第１単位プリズムにおける前記第１反射膜の位置と前記第２単位プリズムにおける前記第２反射膜の位置
のうちどちらか１つが異なる
ことを特徴とする採光フィルム。
【請求項２】
少なくとも、前記第１単位プリズムと前記第２単位プリズムは、前記基材の裏面及び幅方向に垂直な平面に対して対称な形状を有する
ことを特徴とする請求項１に記載の採光フィルム。
【請求項３】
少なくとも、前記第１反射膜と前記第２反射膜は、前記第１単位プリズムと前記第２単位プリズムの前記垂直な平面側に設けられる
ことを特徴とする請求項２に記載の採光フィルム。
【請求項４】
前記垂直な平面は、前記基材の幅の中心面である
ことを特徴とする請求項２又は３に記載の採光フィルム。
【請求項５】
前記プリズムを覆う包理部を備える
ことを特徴とする請求項１乃至４のいずれか１つに記載の採光フィルム。
【請求項６】
前記包理部を保護する保護部を備える
ことを特徴とする請求項５に記載の採光フィルム。
【発明の詳細な説明】
【技術分野】
【０００１】
本発明は、光を有効に取り込む採光フィルムに関するものである。
【背景技術】
【０００２】
従来、透光性の支持体の少なくとも一方の面に単位プリズムが複数形成され、該単位プリズムを構成する一部の面に対して反射層を有し、該単位プリズムを被覆すると共に平坦面を構成する保護膜を有する採光フィルムがある（特許文献１）。
【先行技術文献】
【特許文献】
【０００３】
【特許文献１】特開２００８−４００２５号公報
【発明の概要】
【発明が解決しようとする課題】
【０００４】
しかしながら、特許文献１に開示された採光フィルムでは、単位プリズムの形状が単一であり、反射層が単一の方向に傾斜してしるので、窓の外側の上方から入射する太陽光の的確な方向への採光と、室内の人が窓の外側を見る眺望性を両立することが困難である。
【０００５】
本発明は、様々な採光性と眺望性を得ることが可能な採光フィルムを提供する。
【課題を解決するための手段】
【０００６】
上記目的を達成する本発明にかかる採光フィルムは、
表裏面を持つ基材と、
前記基材の表面に形成されるプリズムと、
前記プリズムの一面に形成される反射膜と、
を備え、
前記プリズムは、少なくとも、第１単位プリズムと、第２単位プリズムと、を有し、
前記反射膜は、少なくとも、前記第１単位プリズムに形成される第１反射膜と、前記第２単位プリズムに形成される第２反射膜と、を有し、
少なくとも、
前記第１単位プリズムの形状と前記第２単位プリズムの形状、
及び、
前記第１単位プリズムにおける前記第１反射膜の位置と前記第２単位プリズムにおける前記第２反射膜の位置
のうちどちらか１つが異なる
ことを特徴とする。
【０００７】
また、本発明にかかる採光フィルムでは、
少なくとも、前記第１単位プリズムと前記第２単位プリズムは、前記基材の裏面及び幅方向に垂直な平面に対して対称な形状を有する
ことを特徴とする。
【０００８】
また、本発明にかかる採光フィルムでは、
少なくとも、前記第１反射膜と前記第２反射膜は、前記第１単位プリズムと前記第２単位プリズムの前記垂直な平面側に設けられる
ことを特徴とする。
【０００９】
また、本発明にかかる採光フィルムでは、
前記垂直な平面は、前記基材の幅の中心面である
ことを特徴とする。
【００１０】
また、本発明にかかる採光フィルムは、
前記プリズムを覆う包理部を備える
ことを特徴とする。
【００１１】
また、本発明にかかる採光フィルムは、
前記包理部を保護する保護部を備える
ことを特徴とする。
【発明の効果】
【００１２】
本発明によれば、様々な採光性と眺望性を得ることが可能な採光フィルムを提供することが可能となる。
【図面の簡単な説明】
【００１３】
【図１】第１実施形態の採光フィルムを示す。
【図２】第１実施形態の採光フィルムの製造方法の金型成型工程を示す。
【図３】図２の基材２とプリズム３の一部を拡大した図を示す。
【図４】第１実施形態の採光フィルムの製造方法の蒸着工程を示す。
【図５】第１実施形態の採光フィルムの製造方法の蒸着工程時の幅方向断面図を示す。
【図６】第１実施形態の採光フィルムの製造方法の蒸着工程時の平面図を示す。
【図７】第１実施形態の採光フィルムの製造方法の蒸着工程後の状態を示す。
【図８】第１実施形態の採光フィルム１を窓に貼付して使用した図を示す。
【図９】第２実施形態の採光フィルムを示す。
【図１０】第２実施形態の採光フィルムの製造方法の蒸着工程時の幅方向断面図を示す。
【図１１】第２実施形態の採光フィルムの製造方法の蒸着工程時の平面図を示す。
【図１２】第３実施形態の採光フィルムを示す。
【図１３】第３実施形態の採光フィルムの製造方法の蒸着工程時の幅方向断面図を示す。
【図１４】第３実施形態の採光フィルムの製造方法の蒸着工程時の平面図を示す。
【発明を実施するための形態】
【００１４】
以下、図面を参照にして本発明にかかる採光フィルム１について説明する。
【００１５】
図１は、第１実施形態の採光フィルム１を示す。
【００１６】
第１実施形態の採光フィルム１は、表裏面を持つ基材２と、基材２の表面２ａに形成されるプリズム３と、プリズム３の一面に形成される反射膜４と、プリズム３を包理する包理部５と、包理部５を覆う保護部６と、を備える。
【００１７】
基材２は、透明なフィルム状の樹脂が好ましい。例えば、熱可塑性樹脂、熱硬化性樹脂等でよいし、その他、ガラス等の透明な材料でもよい。
【００１８】
プリズム３は、基材２の表面２ａに後述するロール金型７を用いて形成される。プリズム３は、少なくとも、基材２の裏面２ｂ及び幅Ｗ方向に垂直な第１平面ＶＳ１と第２平面ＶＳ２によって区画された第１領域Ｗ１に形成される第１単位プリズム３１と、基材２の裏面２ｂ及び幅Ｗ方向に垂直な第３平面ＶＳ３と第４平面ＶＳ４によって区画された第２領域Ｗ２に形成される第２単位プリズム３２と、を有する。第１実施形態では、プリズム３は、基材２の幅Ｗの方向の中心面ＣＳに対して、一方に形成される複数の第１単位プリズム３１と、他方に形成される複数の第２単位プリズム３２と、を有する。なお、基材２とプリズムは一体に形成される。
【００１９】
第１実施形態では、反射膜４は、第１単位プリズム３１と第２単位プリズム３２の中心面ＣＳ側の面に形成される。また、第１実施形態では、反射膜４は、プリズム３の面のうち基材２に対して最も急な斜面を形成する第１反射面３１ａ及び第２反射面３２ａに形成され、光を反射する。第１反射膜４１は、第１反射面３１ａに形成され、第２反射膜４２は、第２反射面３２ａに形成される。反射膜４は、アルミ蒸着等により形成されることが好ましいが、反射する構成であればその他の構成でもよい。また、第１反射膜４１と第２反射膜４２は、異なる長さ、角度、ピッチであってもよい。さらに反射膜４は、３種類以上の異なる種類があってもよい。
【００２０】
例えば、鏡面反射のみでも良いし、鏡面反射に拡散を加えても良い。ただし、拡散のために大粒径粒子を添加すると、回折によって眺望性が劣化するので、小粒子を用い、反射層の厚みは数μｍ以下が好ましい。
【００２１】
また、反射層の形成方法は、斜め蒸着法又はスプレー法が好ましい。斜め蒸着法でアルミ蒸着の場合、膜厚は５０〜６０ｎｍ以上で十分な反射率が得られる。スプレー法では、膜厚は１０μｍ以下で数μｍ程度が好ましい。なお、スプレー法では、小粒径のフィラーを添加することによって拡散反射を付与できる。拡散反射を加えることで、採光された光が天井や壁面等に投影された時に端部付近で発生する虹状の色別れの軽減効果が期待できる。
【００２２】
包理部５は、プリズム３を包理するように形成される。包理部５は、ＵＶ硬化樹脂等により形成されることが好ましい。包理部５は、基材２とプリズム３に対して同じ屈折率であることが好ましいが、透明であれば異なる屈折率でもよい。
【００２３】
保護部６は、包理部５を覆うように形成され、基材２、プリズム３、反射膜４、及び包理部５の各部を保護する。なお、包理部５に保護作用を持たせることで、保護部６を省略してもよい。
【００２４】
次に、第１実施形態の採光フィルム１の製造方法について説明する。
【００２５】
図２は、第１実施形態の採光フィルムの製造方法の金型成型工程を示す。図３は、図２の基材２とプリズム３の一部を拡大した図を示す。
【００２６】
図１に示した第１実施形態の採光フィルム１を製造するために、まず、ロール金型７によって、基材２に連続したプリズム３を一体成型する。
【００２７】
第１実施形態のプリズム３は、図３に示すように、基材２に垂直な面ＶＳに対する第１単位プリズム３１の第１反射面３１ａを第１反射角度α１に形成し、第２単位プリズム３２の第２反射面３２ａを第２反射角度α２に形成する。ただし、図３の基材２に垂直な面に対して紙面右側を正の角度とする。
【００２８】
また、第１実施形態のプリズム３は、基材２に垂直な面ＶＳに対する第１単位プリズム３１の第１傾斜面３１ｂを第１傾斜角度β１に形成し、第２単位プリズム３２の第２傾斜面３２ｂを第２傾斜角度β２に形成する。ただし、図３の基材２に垂直な面に対して紙面右側を正の角度とする。すなわち、第１単位プリズム３１の頂角を第１反射角度α１＋第１傾斜角度β１、第２単位プリズム３２の頂角を第２反射角度α２＋第２傾斜角度β２とする。
【００２９】
さらに、第１実施形態のプリズム３は、第１単位プリズム３１を第１ピッチＰ１に形成し、第２単位プリズム３２を第２ピッチＰ２に形成する。また、図２に示した基材２の幅Ｗ内に第１単位プリズム３１が形成される第１領域Ｗ１と第２単位プリズム３２が形成される第２領域Ｗ２を形成する。
【００３０】
図４は、第１実施形態の採光フィルムの製造方法の蒸着工程を示す。図５は、第１実施形態の採光フィルムの製造方法の蒸着工程時の幅方向断面図を示す。図６は、第１実施形態の採光フィルムの製造方法の蒸着工程時の平面図を示す。
【００３１】
第１実施形態の採光フィルム１の製造方法では、蒸着装置１０により、真空アルミ蒸着を行う。蒸着源８は、第１蒸着源８１と、第２蒸着源８２と、を有する。第１蒸着源８１から蒸着される角度は、第１単位プリズム３１の第１反射面３１ａに対応する角度に設定される。また、第２蒸着源８２から蒸着される角度は、第２単位プリズム３２の第２反射面３２ａに対応する角度に設定される。蒸着の角度は、図示しない制御板等によって決定される。
【００３２】
第１実施形態の採光フィルム１を蒸着する場合、図５に示すように、第１単位プリズム３１の第１反射膜４１は少なくとも一部が第１領域Ｗ１以外の対向する位置に設けられる第１蒸着源８１から蒸着され、第２単位プリズム３２の第２反射膜４２は少なくとも一部が第２領域Ｗ２以外の対向する位置に設けられる第２蒸着源８２から蒸着される。
【００３３】
第１実施形態では、第１反射膜４１は第１単位プリズム３１の幅Ｗ方向の他方側に形成され、第２反射膜４２は第２単位プリズム３２の幅Ｗ方向の一方側に形成される。そのため、第１蒸着源８１は第１単位プリズム３１の一方側から第１反射膜４１を蒸着し、第２蒸着源８２は第２単位プリズム３２の他方側から第２反射膜４２を蒸着する。
【００３４】
図２のように金型でプリズム３が形成された基材２は、図４に示すようにローラ状に巻かれる。そして、蒸着工程時、ローラ状に巻かれた基材２は、矢印Ｄの方向に引き出される。蒸着源８と基材２の間には、遮蔽部９が設けられる。遮蔽部９は、第１スリット９１と第２スリット９２が形成される。
【００３５】
第１スリット９１は、第１蒸着源８１と第１単位プリズム３１の第１反射膜４１を結ぶ空間に対応する位置に形成される。また、第２スリット９２は、第２蒸着源８２と第２単位プリズム３２の第２反射膜４２を結ぶ空間に対応する位置に形成される。第１スリット９１と第２スリット９２は、蒸着時にそれぞれが干渉しないように、矢印Ｄと幅Ｗの方向に重なる部分が存在せず、どちらの方向に関してもずれて配置される。
【００３６】
第１単位プリズム３１の第１反射面３１ａには、蒸着源８の第１蒸着源８１の飛翔部８１ａから第１スリット９１を通過して蒸着され、第１反射膜４１が形成される。また、第２単位プリズム３２の第２反射面３２ａは、蒸着源８の第２蒸着源８２の飛翔部８２ａから第２スリット９２を通過して蒸着され、第２反射膜４２が形成される。
【００３７】
図７は、第１実施形態の採光フィルムの製造方法の蒸着工程後の状態を示す。
【００３８】
蒸着工程後、基材２には、プリズム３及び反射膜４が形成されている。第１実施形態では、プリズム３には、幅Ｗの中心面ＣＳに対して対称に第１単位プリズム３１と第２単位プリズム３２が形成されている。すなわち、反射膜４も幅Ｗの中心面ＣＳに対して対称に第１反射膜４１と第２反射膜４２が形成されている。
【００３９】
このように、基材２にプリズム３及び反射膜４を幅Ｗの中心面ＣＳに対して対称に形成することで、第１単位プリズム３１と第２単位プリズム３２を形成する際に同一形状の金型を使用することができると共に、第１反射膜４１と第２反射膜４２を形成する際に第１蒸着源８１と第２蒸着源８２からの蒸着角度を同一にすることができる。したがって、採光フィルム１を容易に低コストで製造することが可能となる。
【００４０】
また、基材２にプリズム３及び反射膜４を形成するために、例えば、第１単位プリズム３１を形成した後、基材２を設置し直すだけで第２単位プリズム３２を同じ１つの金型７で形成することができる。同様に、例えば、第１反射膜４１を第１蒸着源８１からの蒸着で形成した後、第２反射膜４２を第１蒸着源８１からの蒸着で形成することもできる。したがって、金型７や蒸着源８を節約することができ、採光フィルム１をさらに低コストで製造することが可能となる。
【００４１】
なお、第１実施形態では、２種類のプリズム３及び反射膜４が形成されているが、３種類以上のプリズム３及び反射膜４が形成されてもよい。少なくとも２種類以上のプリズム３及び反射膜４を形成することで、採光した光をより多くの方向に反射させることが可能となる。採光フィルム１を窓に貼り付けて使用する場合、夏の高い角度からの光を窓から離れた天井に反射させたり、朝夕及び冬の低い角度からの光を室内の奥まで入り込まないように反射させることが可能となる。
【００４２】
第１実施形態の採光フィルム１は、このような蒸着工程後、図１に示した樹脂等の包理部４でプリズム３を覆い、さらに保護部５で包理部４を保護することで完成する。
【００４３】
図８は、本実施形態の採光フィルム１を窓に貼付して使用した図を示す。
【００４４】
図８に示すように、窓の外側の上方から入射する太陽光は、室内の的確な方向へ採光される。例えば、採光フィルム１の上方に入射する太陽光を室内の窓から離れた天井に反射させ、採光フィルム１の下方に入射する太陽光を室内の窓に近い天井に反射させることが可能である。また、室内の人が窓の外側を見る眺望性を確保することが可能である。したがって、窓の外側の上方から入射する太陽光の的確な方向への採光と、室内の人が窓の外側を見る眺望性を両立することが可能となる。また、プリズム３及び反射膜４の形状に応じて様々な採光性と眺望性を得ることが可能となる。
【００４５】
なお、採光フィルム１は窓の外側と内側のどちらに貼付してもよい。
【００４６】
図９は、第２実施形態の採光フィルム１を示す。
【００４７】
第２実施形態の採光フィルム１は、基材２の裏面２ｂ及び幅Ｗ方向に垂直な第１平面ＶＳ１〜第４平面ＶＳ４によって区画された第１領域Ｗ１と第２領域Ｗ２に２つの単位プリズム群がそれぞれ形成される。第１領域Ｗ１と第２領域Ｗ２は、幅Ｗ方向の一方から他方へ順に、並べられる。
【００４８】
第２実施形態では、第１単位プリズム３１は第１平面ＶＳ１と第２平面ＶＳ２によって区画された第１領域Ｗ１に形成され、第２単位プリズム３２は第２平面ＶＳ２と第３平面ＶＳ３によって区画された第２領域Ｗ２に形成される。
【００４９】
第１単位プリズム３１及び第２単位プリズム３２は、少なくとも１つが異なる形状でもよいが、すべて異なる形状でもよい。また、第１単位プリズム３１の反射膜４１及び第２単位プリズム３２の反射膜４２は、幅Ｗ方向のどちら側に形成してもよい。
【００５０】
図１０は、第２実施形態の採光フィルムの製造方法の蒸着工程時の幅方向断面図を示す。
【００５１】
第２実施形態の採光フィルム１を蒸着する場合、図１０に示すように、第１単位プリズム３１の第１反射膜４１は少なくとも一部が第１領域Ｗ１以外の対向する位置に設けられる第１蒸着源８１から蒸着され、第２単位プリズム３２の第２反射膜４２は少なくとも一部が第２領域Ｗ２以外の対向する位置に設けられる第２蒸着源８２から蒸着される。
【００５２】
第２実施形態では、第１反射膜４１は第１単位プリズム３１の幅Ｗ方向の他方側に形成され、第２反射膜４２は第２単位プリズム３２の幅Ｗ方向の一方側に形成され、第３反射膜４３は第３単位プリズム３３の幅Ｗ方向の一方側に形成される。そのため、第１蒸着源８１は第１単位プリズム３１の一方側から第１反射膜４１を蒸着し、第２蒸着源８２は第２単位プリズム３２の他方側から第２反射膜４２を蒸着する。
【００５３】
図１１は、第２実施形態の採光フィルムの製造方法の蒸着工程時の平面図を示す。
【００５４】
第２実施形態では、蒸着源８と基材２の間に遮蔽部９が設けられる。遮蔽部９は、第１スリット９１及び第２スリット９２が形成される。
【００５５】
第１スリット９１は、第１蒸着源８１と第１単位プリズム３１の第１反射膜４１を結ぶ空間に対応する位置に形成される。また、第２スリット９２は、第２蒸着源８２と第２単位プリズム３２の第２反射膜４２を結ぶ空間に対応する側に形成される。第１スリット９１及び第２スリット９２は、蒸着時にそれぞれが干渉しないように、矢印Ｄ方向にずれて配置される。
【００５６】
すなわち、第１単位プリズム３１の第１反射面３１ａには、蒸着源８の第１蒸着源８１の飛翔部８１ａから第１スリット９１を通過して蒸着され、第１反射膜４１が形成される。また、第２単位プリズム３２の第２反射面３２ａは、蒸着源８の第２蒸着源８２の飛翔部８２ａから第２スリット９２を通過して蒸着され、第２反射膜４２が形成される。
【００５７】
図１２は、第３実施形態の採光フィルム１を示す。
【００５８】
第３実施形態の採光フィルム１は、基材２の裏面２ｂ及び幅Ｗ方向に垂直な第１平面ＶＳ１〜第５平面ＶＳ５によって区画された第１領域Ｗ１〜第３領域Ｗ３に３つの単位プリズム群がそれぞれ形成される。第１領域Ｗ１〜第３領域Ｗ３は、幅Ｗ方向の一方から他方へ順に、並べられる。
【００５９】
第３実施形態では、第１単位プリズム３１は第１平面ＶＳ１と第２平面ＶＳ２によって区画された第１領域Ｗ１に形成され、第２単位プリズム３２は第２平面ＶＳ２と第３平面ＶＳ３によって区画された第２領域Ｗ２に形成され、第３単位プリズム３３は第４平面ＶＳ４と第５平面ＶＳ５によって区画された第３領域Ｗ３に形成される。
【００６０】
第１単位プリズム３１、第２単位プリズム３２、及び第３単位プリズム３３は、少なくとも１つが異なる形状でもよいが、すべて異なる形状でもよい。また、第１単位プリズム３１の反射膜４１、第２単位プリズム３２の反射膜４２、及び第３単位プリズム３３の反射膜４３は、幅Ｗ方向のどちら側に形成してもよい。
【００６１】
図１３は、第３実施形態の採光フィルムの製造方法の蒸着工程時の幅方向断面図を示す。
【００６２】
第３実施形態の採光フィルム１を蒸着する場合、図１３に示すように、第１単位プリズム３１の第１反射膜４１は少なくとも一部が第１領域Ｗ１以外の対向する位置に設けられる第１蒸着源８１から蒸着され、第２単位プリズム３２の第２反射膜４２は少なくとも一部が第２領域Ｗ２以外の対向する位置に設けられる第２蒸着源８２から蒸着され、第３単位プリズム３３の第３反射膜４３は少なくとも一部が第３領域Ｗ３以外の対向する位置に設けられる第３蒸着源８３から蒸着される。
【００６３】
第３実施形態では、第１反射膜４１は第１単位プリズム３１の幅Ｗ方向の他方側に形成され、第２反射膜４２は第２単位プリズム３２の幅Ｗ方向の一方側に形成され、第３反射膜４３は第３単位プリズム３３の幅Ｗ方向の一方側に形成される。そのため、第１蒸着源８１は第１単位プリズム３１の一方側から第１反射膜４１を蒸着し、第２蒸着源８２は第２単位プリズム３２の他方側から第２反射膜４２を蒸着し、第３蒸着源８３は第３単位プリズム３３の他方側から第３反射膜４３を蒸着する。
【００６４】
図１４は、第３実施形態の採光フィルムの製造方法の蒸着工程時の平面図を示す。
【００６５】
第３実施形態では、蒸着源８と基材２の間に遮蔽部９が設けられる。遮蔽部９は、第１スリット９１、第２スリット９２、及び第３スリット９３が形成される。
【００６６】
第１スリット９１は、第１蒸着源８１と第１単位プリズム３１の第１反射膜４１を結ぶ空間に対応する位置に形成される。また、第２スリット９２は、第２蒸着源８２と第２単位プリズム３２の第２反射膜４２を結ぶ空間に対応する側に形成される。さらに、第３スリット９３は、第３蒸着源８３と第３単位プリズム３３の第３反射膜４３を結ぶ空間に対応する側に形成される。第１スリット９１、第２スリット９２、及び第３スリット９３は、蒸着時にそれぞれが干渉しないように、矢印Ｄ方向にずれて配置される。
【００６７】
すなわち、第１単位プリズム３１の第１反射面３１ａには、蒸着源８の第１蒸着源８１の飛翔部８１ａから第１スリット９１を通過して蒸着され、第１反射膜４１が形成される。また、第２単位プリズム３２の第２反射面３２ａは、蒸着源８の第２蒸着源８２の飛翔部８２ａから第２スリット９２を通過して蒸着され、第２反射膜４２が形成される。また、第３単位プリズム３３の第３反射面３３ａは、蒸着源８の第３蒸着源８３の飛翔部８３ａから第３スリット９３を通過して蒸着され、第３反射膜４３が形成される。
【００６８】
以上、本実施形態の採光フィルム１によれば、表裏面２ａ，２ｂを持つ基材２と、基材２の表面２ａに形成されるプリズム３と、プリズム３の一面に形成される反射膜４と、を備え、プリズム３は、少なくとも、第１単位プリズム３１と、第２単位プリズム３２と、を有し、反射膜４は、少なくとも、第１単位プリズム３１に形成される第１反射膜４１と、第２単位プリズム３２に形成される第２反射膜４２と、を有し、少なくとも、第１単位プリズム３１の形状と第２単位プリズム３２の形状、及び、第１単位プリズム３１における第１反射膜３１ａの位置と第２単位プリズム３２における第２反射膜３２ａの位置のうちどちらか１つが異なるので、様々な採光性と眺望性を得ることが可能となる。例えば、窓の外側の上方から入射する太陽光の的確な方向への採光と、室内の人が窓の外側を見る眺望性を両立することが可能となる。
【００６９】
また、本実施形態の採光フィルム１ｄでは、少なくとも、第１単位プリズム３１と第２単位プリズム３２は、基材２の裏面２ｂ及び幅Ｗ方向に垂直な平面に対して対称な形状を有するので、同一形状の金型７や同一の蒸着角度で蒸着する蒸着源８を用いることで節約することができ、採光フィルム１を低コストで製造することが可能となる。
【００７０】
また、本実施形態の採光フィルム１では、少なくとも、第１反射膜３１ａと第２反射膜３２ａは、第１単位プリズム３１と第２単位プリズム３２の間の垂直な平面ＶＳ側に設けられるので、さらに小型の装置で的確に製造することが可能となる。
【００７１】
また、本実施形態の採光フィルム１では、垂直な平面ＶＳは、基材２の幅Ｗの中心面ＣＳであるので、第１単位プリズム３１と第２単位プリズム３２を形成する際に同一形状の金型を使用することができると共に、第１反射膜４１と第２反射膜４２を形成する際に第１蒸着源８１と第２蒸着源８２からの蒸着角度を同一にすることができる。したがって、採光フィルム１を容易に低コストで製造することが可能となる。また、さらに小型の装置で的確に製造することが可能となる。
【００７２】
また、本実施形態の採光フィルム１は、プリズム３を覆う包理部５を備えるので、採光した光をさらに的確な方向に反射させることが可能となる。
【００７３】
また、本実施形態の採光フィルム１は、包理部５を保護する保護部６を備えるので、採光フィルム１を的確に保護することが可能となる。
【００７４】
以上、採光フィルム１をいくつかの実施例に基づいて説明してきたが、本発明はこれら実施例に限定されず種々の組み合わせ又は変形が可能である。
【符号の説明】
【００７５】
１…採光フィルム
２…基材
３…プリズム
４…反射膜
５…包理部
６…保護部
【図１】
2016071007.tif 000003
【図２】
2016071007.tif 000004
【図３】
2016071007.tif 000005
【図４】
2016071007.tif 000006
【図５】
2016071007.tif 000007
【図６】
2016071007.tif 000008
【図７】
2016071007.tif 000009
【図８】
2016071007.tif 000010
【図９】
2016071007.tif 000011
【図１０】
2016071007.tif 000012
【図１１】
2016071007.tif 000013
【図１２】
2016071007.tif 000014
【図１３】
2016071007.tif 000015
【図１４】
2016071007.tif 000016